(57)【要約】【課題】観察対象者が受けたストレスの原因の特定に関わる推定を行い、結果を通知することが可能なストレスモニタシステムを提供する。【解決手段】本システムは、観察対象者が受けたストレスに応じた値を測定するストレス測定手段と、観察対象者の位置情報を取得する位置情報取得手段と、ストレス測定手段による測定値がストレスの発生を示す第１条件を満たしたときに位置情報取得手段が取得した観察対象者の位置情報をストレス発生位置情報として随時記録する記録手段と、記録手段が記録したストレス発生位置情報に基づいて観察対象者のストレス原因の特定に関わる推定を行う分析手段と、分析手段による推定結果を通知対象者に通知する通知手段と、を備える。【選択図】図４
2018047166.tif 000002
【特許請求の範囲】
【請求項１】
観察対象者が受けたストレスに応じた値を測定するストレス測定手段と、
前記観察対象者の位置情報を取得する位置情報取得手段と、
前記ストレス測定手段による測定値がストレスの発生を示す第１条件を満たしたときに前記位置情報取得手段が取得した前記観察対象者の位置情報を、ストレス発生位置情報として随時記録する記録手段と、
前記記録手段が記録したストレス発生位置情報に基づいて、前記観察対象者のストレス原因の特定に関わる推定を行う分析手段と、
前記分析手段による推定結果を通知対象者に通知する通知手段と、
を備えることを特徴とするストレスモニタシステム。
【請求項２】
前記分析手段は、ストレス発生位置情報の記録回数が所定の閾値を超えた位置領域に、前記観察対象者のストレス原因が存在すると推定することを特徴とする請求項１に記載のストレスモニタシステム。
【請求項３】
前記分析手段は、過去所定期間におけるストレス発生位置情報の記録回数が所定の閾値を超えた位置領域に、前記観察対象者のストレス原因が存在すると推定することを特徴とする請求項２に記載のストレスモニタシステム。
【請求項４】
前記位置情報取得手段は、前記観察対象者に加え、複数の移動者の位置情報を取得可能であり、少なくとも前記ストレス測定手段による測定値が前記第１条件を満たしたときに前記複数の移動者の位置情報を取得し、
前記記録手段は、前記ストレス測定手段による測定値が前記第１条件を満たしたときに、前記ストレス発生位置情報が示す位置から所定の範囲にいる前記移動者を前記観察対象者のストレス原因候補として記録し、
前記分析手段は、ストレス原因候補としての記録回数が所定の閾値を超えた前記移動者をストレス原因と推定する
ことを特徴とする請求項１に記載のストレスモニタシステム。
【請求項５】
前記分析手段は、過去所定期間におけるストレス原因候補としての記録回数が所定の閾値を超えた前記移動者をストレス原因と推定することを特徴とする請求項４に記載のストレスモニタシステム。
【請求項６】
前記通知手段は、前記ストレス測定手段による測定値が前記第１条件よりも強いストレスの発生を示す第２条件を満たしたときに前記位置情報取得手段が取得した前記観察対象者の位置情報を、前記通知対象者に通知することを特徴とする請求項１に記載のストレスモニタシステム。
【請求項７】
コンピュータを、
観察対象者の位置情報を取得する位置情報取得手段と、
ストレス測定手段による測定値がストレスの発生を示す第１条件を満たしたときに前記位置情報取得手段が取得した前記観察対象者の位置情報を、ストレス発生位置情報として随時記録する記録手段と、
前記記録手段が記録したストレス発生位置情報に基づいて、前記観察対象者のストレス原因の特定に関わる推定を行う分析手段と、
前記分析手段による推定結果を通知対象者に通知する通知手段
として機能させるためのプログラム。
【請求項８】
前記位置情報取得手段は、前記観察対象者に加え、複数の移動者の位置情報を取得可能であり、少なくとも前記ストレス測定手段による測定値が前記第１条件を満たしたときに前記複数の移動者の位置情報を取得し、
前記記録手段は、前記ストレス測定手段による測定値が前記第１条件を満たしたときに、前記ストレス発生位置情報が示す位置から所定の範囲にいる前記移動者を前記観察対象者のストレス原因候補として記録し、
前記分析手段は、ストレス原因候補としての記録回数が所定の閾値を超えた前記移動者をストレス原因と推定する
ことを特徴とする請求項７に記載のプログラム。
【発明の詳細な説明】
【技術分野】
【０００１】
本発明は、観察対象者がストレスを受けた位置の履歴に基づき当該観察対象者のストレス原因を推定するストレスモニタシステムおよびプログラムに関する。
【背景技術】
【０００２】
人は日常生活の様々な場面でストレスを受ける。ストレスにより心に強い負荷がかかると、精神面にとどまらず、自律神経や内分泌系などに異常が生じて身体面にも問題を及ぼす場合がある。そのため、ストレスを検出し原因を特定して、ストレスを緩和する施策を講じることは現代社会において非常に重要な課題であるといえる。
【０００３】
特許文献１には、観察対象者から検出された生体情報に基づき、観察対象者のストレス度を算出し、そのストレス度が所定の閾値より大きいか否かによって、当該観察対象者がストレス状態にあるか否かを判定する装置が開示されている。
【先行技術文献】
【特許文献】
【０００４】
【特許文献１】特開２０１６−１１０２０７号公報
【発明の概要】
【発明が解決しようとする課題】
【０００５】
特許文献１の装置においては、観察対象者がストレス状態にあるか否かの判定結果は通知されるが、ストレスの原因の特定に関わる情報は通知されない。本発明の目的は、観察対象者が受けたストレスの原因の特定に関わる推定を行い、結果を通知することが可能なストレスモニタシステムおよびプログラムを提供することにある。
【課題を解決するための手段】
【０００６】
本発明のストレスモニタシステムは、観察対象者が受けたストレスに応じた値を測定するストレス測定手段と、観察対象者の位置情報を取得する位置情報取得手段と、ストレス測定手段による測定値がストレスの発生を示す第１条件を満たしたときに位置情報取得手段が取得した観察対象者の位置情報をストレス発生位置情報として随時記録する記録手段と、記録手段が記録したストレス発生位置情報に基づいて観察対象者のストレス原因の特定に関わる推定を行う分析手段と、分析手段による推定結果を通知対象者に通知する通知手段と、を備える。
【０００７】
これにより、観察対象者が受けたストレスの原因の特定に関わる推定結果が通知対象者に通知されるため、ストレスの原因を特定しやすくなり、よって、適切なストレス緩和策を講じやすくなる。
【０００８】
分析手段は、例えばストレス発生位置情報の記録回数が所定の閾値を超えた位置領域に観察対象者のストレス原因が存在すると推定するようにしてもよい。また、過去所定期間におけるストレス発生位置情報の記録回数が所定の閾値を超えた位置領域に観察対象者のストレス原因が存在すると推定するようにしてもよい。
【０００９】
このように構成することで、特定の位置領域にストレスの原因が存在すると推定することができる。そのため、当該位置領域に重点を置いてストレスの原因を探索できるため、効率的にストレスの原因を特定することができる。
【００１０】
位置情報取得手段が、観察対象者に加え複数の移動者の位置情報を取得可能であり、少なくともストレス測定手段による測定値が前記第１条件を満たしたときに複数の移動者の位置情報を取得し、記録手段が、ストレス測定手段による測定値が第１条件を満たしたときにストレス発生位置情報が示す位置から所定の範囲にいる移動者を観察対象者のストレス原因候補として記録し、分析手段が、ストレス原因候補としての記録回数が所定の閾値を超えた移動者をストレス原因と推定するようにしてもよい。また、過去所定期間におけるストレス原因候補としての記録回数が所定の閾値を超えた移動者をストレス原因と推定するようにしてもよい。
【００１１】
このように構成することで、観察対象者が一定の条件を満たすストレスを受けた際に付近にいることが多かった移動者が、ストレスの原因であると推定することができる。そのため、当該移動者に重点に置いてストレスの原因を探索できるため、より効率的にストレスの原因を特定することができる。
【００１２】
通知手段は、ストレス測定手段による測定値が第１条件よりも強いストレスの発生を示す第２条件を満たしたときに位置情報取得手段が取得した観察対象者の位置情報を通知対象者に通知するようにしてもよい。
【００１３】
このように構成することで、観測対象者が強いストレスを受けた際に、通知対象者が当該観測対象者の現在位置を速やかに把握できる。強いストレスは観測対象者に精神的又は身体的にダメージを与える危険があるため、当該観測対象者の現在位置を速やかに把握できることで、危険に対して迅速に対応することが可能となる。
【図面の簡単な説明】
【００１４】
【図１】本発明のストレスモニタシステムの概略図である。
【図２】サーバ装置の構成の一例を示す図である。
【図３】病院内におけるアクセスポイントの配置の一例を示す図である。
【図４】本発明のストレスモニタシステムの機能ブロック図である。
【発明を実施するための形態】
【００１５】
以下、図面を参照しつつ、本発明のストレスモニタシステム及びプログラムの実施形態を説明する。
【００１６】
〔システムの構成〕
図１は、ストレスモニタシステム１の概略図である。ストレスモニタシステム１は、サーバ装置１０、複数のアクセスポイント２０、観察対象者２が装着又は所持する発信機３０及びストレス測定手段４０、並びに必要に応じて移動者３が装着又は所持する発信機３０を備える。サーバ装置１０は、有線ＬＡＮや無線ＬＡＮなどのネットワークＮＷを介して接続されたアクセスポイント２０を介して発信機３０の現在位置情報及びストレス測定手段４０による測定値を取得可能に構成される。アクセスポイント２０と発信機３０及びストレス測定手段４０との間は無線ＬＡＮなど、システムの導入環境に応じた任意の無線通信方式により通信を行う。アクセスポイント２０の個数は任意である。
【００１７】
観察対象者２は任意であり、例えば、病院や介護施設では入院患者、入居者などが対象となりうる。移動者３は、観察対象者２に対してストレスを与える恐れがある者であり、例えば、病院や介護施設では医師やスタッフなどが対象となりうる。複数の観察対象者２がいる場合において、特定の観察対象者２に着目すると、当該特定の観察対象者２以外の観察対象者２は移動者３の立場になりうる。すなわち、移動者３は観察対象者２であってもよい。
【００１８】
図２は、サーバ装置１０の構成の一例を示す図である。サーバ装置１０はコンピュータであり、ＣＰＵ１１、ＲＯＭ１２、ＲＡＭ１３、入力部１４、表示部１５、記憶部１６、及び通信部１７を備える。
【００１９】
ＣＰＵ１１は、ＲＯＭ１２や記憶部１６に記憶されたプログラムを実行し、サーバ装置１０の機能を実現する。ＲＯＭ１２はコンピュータを動作させるための基本的なプログラムなどを記憶する不揮発性メモリである。ＲＡＭ１３はＣＰＵ１１のワークエリアを提供する揮発性メモリである。入力部１４は、キーボードやポインティングデバイス等の入力デバイスであって、利用者が入力した情報をＣＰＵ１１に提供する。表示部１５は、ＬＣＤなどのディスプレイを備え、ＣＰＵ１１の制御に従い各種の情報を表示する表示手段である。記憶部１６は、ＨＤＤやフラッシュメモリ等の記憶媒体であり、ＣＰＵ１１が実行する各種プログラムや実行に用いるテーブルなどの各種ファイルを記憶する。通信部１７は、ネットワークＮＷに接続するためのインタフェースであり、ＣＰＵ１１の制御に従い、ネットワークＮＷに接続されたアクセスポイント２０と通信する。
【００２０】
アクセスポイント２０は、発信機３０の検出及びストレス測定手段４０から送信された測定値を中継するための無線ＬＡＮなどのアクセスポイントである。ストレスモニタシステム１を、病院の入院患者を観察対象者２として使用する場合、アクセスポイント２０は、例えば図３に示すように病室、廊下、トイレ、外来エリア、検査室、手術室など病院内の各所に複数設置され、それぞれ自身の通信領域内にある発信機３０及びストレス測定手段４０が発信した所定の通信方式による信号を受信し、サーバ装置１０に転送する。各アクセスポイント２０には自身の識別ＩＤであるアクセスポイントＩＤが付与され、発信機３０から受信した信号の転送時にはこのアクセスポイントＩＤを付加してサーバ装置１０に転送する。
【００２１】
なお、アクセスポイント２０は、位置情報の特定に係る発信機３０用と、測定値を転送するストレス測定手段４０用とで別々に設けてもよい。
【００２２】
発信機３０は、観察対象者２と必要に応じて移動者３が装着又は所持し、所定の通信方式による信号をアクセスポイント２０に送信する。発信機３０には自身の識別ＩＤである発信機ＩＤが付与され、信号の送信時にはこの発信機ＩＤを付加して送信する。
【００２３】
ストレス測定手段４０は、ストレスの観察対象者２が装着又は所持し、当該観察対象者２が受けたストレスに応じた値を測定して、測定値を所定の信号方式によりアクセスポイント２０に送信する。測定するストレスに応じた値は、ストレスが反映されうる値であれば任意であり、例えば、心拍数、呼吸数、血圧、血中酸素濃度などが挙げられる。ストレス測定手段４０には自身の識別ＩＤである測定手段ＩＤが付与され、測定値の送信時にはこの測定手段ＩＤを付加して送信する。なお、ストレス測定手段４０は、ストレスの測定に係る機能と通信に係る機能とを別々の機器として構成してもよい。また、ストレス測定手段４０は、発信機３０と一体的に構成してもよく、この場合は識別ＩＤも一体化してよい。
【００２４】
〔機能の実現方法〕
続いて、サーバ装置１０、アクセスポイント２０、発信機３０及びストレス測定手段４０により本発明のストレスモニタシステム１の機能がどのように実現されているかについて説明する。機能ブロック図を図４に示す。
【００２５】
サーバ装置１０の記憶部１６には、位置情報取得手段１０ａの機能を実現する発信機位置特定ブログラムをあらかじめ記憶しておき、サーバ装置１０は次の手順で発信機３０の現在位置を逐次取得する。なお、ここでいう位置とは、発信機３０からの信号を受信したアクセスポイント２０の設置位置である。
【００２６】
発信機位置特定プログラムはサーバ装置１０のＣＰＵ１１に読み込まれて実行されることで、通信部１７を介してアクセスポイント２０に対して発信機３０からの信号の受信待機指示を送信するとともに、アクセスポイント２０から当該アクセスポイント２０の設置位置を示すアクセスポイントＩＤと、当該アクセスポイント２０が受信した発信機３０の発信機ＩＤと、を含む応答信号を通信部１７を介して逐次受信し、記憶部１６に記憶する。
【００２７】
アクセスポイント２０は、サーバ装置１０からの受信待機指示をトリガに発信機３０から信号の受信を待機する。発信機３０から発信機ＩＤを含む信号が受信されると、この信号に自他を識別し、かつ、設置位置を特定するためのアクセスポイントＩＤを付加した応答信号をサーバ装置１０に対して送信する。
【００２８】
位置情報取得手段１０ａをこのように構成することで、観察対象者２が装着又は所持する発信機３０の現在位置情報を逐次収集し、記憶部１６に蓄積することができる。なお、発信機３０の現在位置情報の収集方法は上記の方法に限られず、収集可能ないかなる方法をとっても構わない。
【００２９】
サーバ装置１０の記憶部１６には、更に記録手段１０ｂの機能を実現するための記録プログラムとストレスの発生を示す第１条件とをあらかじめ記憶しておく。第１条件は一般的には閾値であるが、ストレス測定手段４０の性質に応じて他の条件であっても構わない（後述する第２条件についても同様）。記録プログラムは、ＣＰＵ１１に読み込まれて実行されることで、まず、通信部１７がストレス測定手段４０による測定値をアクセスポイント２０から受信して記憶部１６に記憶させる。続いて、測定値とストレスの発生を示す第１条件とを記憶部１６から読み出して、測定値が第１条件を満たすか否か（一般的には閾値を超えたか否か）を判定し、満たしたときには、記憶部１６において記憶されている第１条件を満たした時点における観察対象者２の位置情報を、ストレス発生位置情報として改めて記憶部１６に記憶させる。
【００３０】
サーバ装置１０の記憶部１６には、更に分析手段１０ｃの機能を実現するための分析プログラムをあらかじめ記憶しておく。分析プログラムは、ＣＰＵ１１に読み込まれて実行されることで、記憶部１６に記憶されているストレス発生位置情報に基づいて観察対象者２のストレス原因の特定に関わる推定を行い、推定結果を出力する。ストレス原因の特定に関わる推定は、例えばストレス発生位置情報の記録回数が所定の閾値を超えた位置領域（例えば部屋）に観察対象者２のストレス原因が存在すると推定する。この場合、記憶部１６にストレス発生位置情報の記録回数に係る所定の閾値をあらかじめ記憶しておき、分析プログラムは記憶部１６を参照しストレス発生位置情報の記録回数をカウントするとともに所定の閾値と照合を行う。なお、ストレス発生位置情報が同じ位置で短時間に何回も記録されている場合は、同じストレス原因に基づくものである可能性が高いとして、１回とみなしてカウントするようにしてもよい。
【００３１】
また、例えばストレス発生位置情報の記録回数が過去所定期間において所定の閾値を超えた位置領域（例えば部屋）に観察対象者２のストレス原因が存在すると推定してもよい。この場合、記憶部１６にストレス発生位置情報の記録回数に係る所定の閾値に加え記録回数をカウントする過去所定期間をあらかじめ記憶しておき、分析プログラムは記憶部１６を参照しストレス発生位置情報の過去所定期間の記録回数をカウントするとともに所定の閾値と照合を行う。
【００３２】
サーバ装置１０の記憶部１６には、更に通知手段１０ｄの機能を実現するための通知プログラムをあらかじめ記憶しておく。通知プログラムは、ＣＰＵ１１に読み込まれて実行されることで、分析手段１０ｃによる推定結果を通知対象者に通知する。通知方法は任意であるが、ストレスの原因の特定に関わる推定内容は、場合によってはプライバシーや名誉などの問題にかかわるものであるため、通知対象者以外には明らかになりにくい方法、例えば、電子メールなどによる方法を採用するのが望ましい。
【００３３】
以上のような構成により、観察対象者２が受けたストレスの原因の特定に関わる推定結果が通知対象者に通知されるため、ストレスの原因を特定しやすくなり、よって、適切なストレス緩和策を講じやすくなる。特に、ストレス原因の特定に関わる推定を、ストレス発生位置情報の記録回数が所定の閾値を超えた位置領域に観察対象者２のストレス原因が存在するという方法で行うことで、特定の位置領域にストレスの原因が存在すると推定することができる。そのため、当該位置領域に重点を置いてストレスの原因を探索できるため、効率的にストレスの原因を特定することができる。
【００３４】
通知手段１０ｄは、ストレス測定手段４０による測定値が第１条件よりも強いストレスの発生を示す第２条件（例えば、より高い閾値）を満たしたときに位置情報取得手段１０ａが取得した観察対象者２の位置情報を通知対象者に通知するようにしてもよい。この場合には、例えば、記憶部１６に強いストレスの発生を示す第２条件をあらかじめ記憶しておき、通知プログラムに、測定値とストレスの発生を示す第２条件とを記憶部１６から読み出して測定値が第２条件を満たすか否かを判定し、満たした場合に観測対象者２が強いストレスを受けたことを示す情報を通知対象者に通知する機能を追記すればよい。通知方法は任意であるが、第２条件が満たされるケースでは、観察対象者２に危険が迫っている恐れがあるため、表示部１５などに表示したり、音や光などで表現したりする方法を採用するのが望ましい。
【００３５】
このように構成することで、観測対象者２が強いストレスを受けた際に、通知対象者が当該観測対象者２の現在位置を速やかに把握できる。強いストレスは観測対象者２が他者から危害を加えられたり、逆に他者に対して危害を加えたりする危険があるため、当該観測対象者２の現在位置を速やかに把握できることで、危険に対して迅速に対応することが可能となる。
【００３６】
ストレスの原因の特定に関わる推定を、観察対象者２の位置情報に加え、発信機３０を装着又は所持する移動者３の位置情報を利用することで、以下のような構成によりストレスの原因自体を推定することができる。
【００３７】
位置情報取得手段１０ａは、更に、複数の移動者３が装着又は所持する発信機３０の現在位置情報を逐次収集し、記憶部１６に蓄積する。ただし、現在位置情報の収集は、ストレス測定手段４０による測定値が第１条件を満たしたときに行われていれば足りるため、例えば、発信機位置特定プログラムにおいて、発信機ＩＤから観察対象者２と移動者３を区別し、観察対象者２の現在位置情報のみを逐次収集し、当該複数の移動者３の現在位置情報については、記録手段１０ｂから第１条件を満たしたことを示す情報が出力された際に収集するように機能を記述すればよい。
【００３８】
また、記録手段１０ｂに関しては、ストレス測定手段４０による測定値が第１条件を満たしたときにストレス発生位置情報が示す位置から所定の範囲にいる移動者３を観察対象者２のストレス原因候補として記録する機能を追加する。具体的には、例えば次のような機能を記録プログラムに追記する。記憶部１６に所定の範囲をあらかじめ記憶しておき、まず、測定値が第１条件を満たすと判定された際に、その時点における観察対象者２の位置情報（すなわちストレス発生位置情報）が示す位置を特定する。そして、記憶部１６から所定の範囲と複数の移動者３の位置情報とを読み出し、特定された位置から所定の範囲の位置情報を持つ移動者３を観察対象者２のストレス原因候補として記憶部１６に記憶する。
【００３９】
更に、分析手段１０ｃに関しては、ストレス原因候補として記録された回数が所定の閾値を超えた移動者３を観察対象者２のストレス原因と推定する。具体的には、記憶部１６にストレス原因候補として記録された回数に係る所定の閾値をあらかじめ記憶しておき、分析プログラムは記憶部１６を参照し、各移動者３がストレス原因候補として記録された回数をカウントするとともに所定の閾値と照合を行う。
【００４０】
また、例えばストレス原因候補として記録された回数が過去所定期間において所定の閾値を超えた移動者３を観察対象者２のストレス原因と推定してもよい。この場合、記憶部１６にストレス原因候補として記録された回数に係る所定の閾値に加え、記録回数をカウントする過去所定期間をあらかじめ記憶しておき、分析プログラムは記憶部１６を参照し、過去所定期間に各移動者３がストレス原因候補として記録された回数をカウントするとともに所定の閾値と照合を行う。
【００４１】
このように構成することで、観察対象者２が一定の条件を満たすストレスを受けた際に付近にいることが多かった移動者３が、ストレスの原因であると推定することができる。そのため、当該移動者３に重点に置いてストレスの原因を探索できるため、より効率的にストレスの原因を特定することができる。なお、複数の観察対象者２がいる場合において、特定の観察対象者２に着目すると、当該特定の観察対象者２以外の観察対象者２は移動者３の立場になりうる。すなわち、移動者３は観察対象者２であってもよい。
【００４２】
本発明の運用に際し、観察対象者２の周辺について収録した音や映像と組み合わせることで、ストレス原因の特定可能性を高めることができる。例えば、観察対象者２が収音手段や撮像手段を装着し、常時、又は第１条件及び／又は第２条件の充足時に収音手段や撮像手段を起動状態として音や映像を記録する。また例えば、各所、例えばアクセスポイント２０の設置位置に収音手段や撮像手段を設置し、常時、又は第１条件及び／又は第２条件の充足時に観測対象者２の現在地周辺の収音手段や撮像手段を起動状態として音や映像を記録する。加えて、第２条件の充足時には通知に際して音や映像をあわせて通知対象者に提示してもよい。これにより、各条件の充足直後又は事後にストレスが発生した場所の様子を通知対象者が確認でき、怒鳴り声や有形力の行使の存否を把握できるなど、ストレス原因の特定可能性を高めることができる。
【００４３】
第１条件又は第２条件の充足時に収音手段や撮像手段を起動する構成は、例えば、第１条件については分析手段１０ｃが、また第２条件については通知手段１０ｄが、条件を満たしたと判定したことを契機に、該当する観察対象者２の現在位置を記憶手段１６を参照して特定し、収音手段や撮像手段の起動トリガを任意の有線通信手段又は無線通信手段を介して、当該観察対象者２が装着する又は当該観察対象者２の現在位置付近に設けられた収音手段や撮像手段に送出するようプログラムなどを構成することにより実現することができる。
【００４４】
本発明は、上記実施形態そのままに限定されるものではなく、実施段階ではその要旨を逸脱しない範囲で構成要素を変形して具体化できる。また、上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【符号の説明】
【００４５】
１…ストレスモニタシステム
２…観察対象者
３…移動者
１０…サーバ装置
１０ａ…位置情報取得手段
１０ｂ…記録手段
１０ｃ…分析手段
１０ｄ…通知手段
１１…ＣＰＵ
１２…ＲＯＭ
１３…ＲＡＭ
１４…入力部
１５…表示部
１６…記憶部
１７…通信部
２０…アクセスポイント
３０…発信機
４０…ストレス測定手段
ＮＷ…ネットワーク
【図１】
2018047166.tif 000003
【図２】
2018047166.tif 000004
【図３】
2018047166.tif 000005
【図４】
2018047166.tif 000006